(57)【要約】【課題】  ネイバーサーチ窓サイズを可能な限り小さくすることでサーチ時間を短縮し、周辺基地局の検出を早めること。【解決手段】  移動局３０−１と接続基地局２０−１の間の往復遅延時間と移動局３０−１と周辺基地局２０−２、２０−３の間の往復遅延時間の情報を収集しているセルラー無線通信システムにおいて、基地局制御装置１０は、移動局３０−１と接続基地局２０−１の間の往復遅延時間と移動局３０−１と周辺基地局２０−２、２０−３の間の往復遅延時間の情報に基づいて、移動局３０−１が周辺基地局２０−２、２０−３を検出可能な範囲でネイバーサーチ窓サイズを最も小さく設定する。【選択図】図１
2009212746.tif 000002
【特許請求の範囲】
【請求項１】
通信中の移動局と基地局との間の無線信号の往復遅延時間ＲＴＤと、前記移動局と周辺基地局との間の無線信号のＲＴＤを収集している移動体通信システムにおける無線通信制御方法であって、
複数の基地局で測定された、通信中の移動局と基地局について、基地局識別情報（ＩＤ）、移動局ＩＤ、基地局と移動局との間のＲＴＤを、時刻情報と共に、ＲＴＤデータベースに格納し、
前記ＲＴＤデータベースに格納された複数データの中から、同じ移動局ＩＤで同時刻に２つの基地局からＲＴＤを取得しているデータを検索して、検索されたデータにおいて、２つの基地局に対するＲＴＤの差分を取得して、２つの基地局ＩＤに対応して該ＲＴＤの差分をＲＴＤ差分情報テーブルに記憶し、
前記ＲＴＤ差分情報テーブルを参照して、各２つの基地局ＩＤの組み合わせの中で、ＲＴＤの差分の最大値ＲＴＤｄｉｆｆＭａｘと最小値ＲＴＤｄｉｆｆＭｉｎを求め、２つの基地局ＩＤに対応して最大値ＲＴＤｄｉｆｆＭａｘと最小値ＲＴＤｄｉｆｆＭｉｎをＲＴＤ差分最大最小値テーブルに記憶し、
前記ＲＴＤ差分最大最小値テーブルを参照して、次の条件式を満たし、且つ、ネイバーサーチ窓サイズｗが最小となり、且つ、予め定められた離散値になるように、ネイバーサーチ窓サイズｗ及びネイバーサーチ窓オフセットｏｆｆｓｅｔを求める無線通信制御方法。
−ｗ／２  ＋  ｏｆｆｓｅｔ  ＜  ＲＴＤｄｉｆｆＭｉｎ／２
ｗ／２  ＋  ｏｆｆｓｅｔ  ＞  ＲＴＤｄｉｆｆＭａｘ／２
【請求項２】
複数基地局から同時に送信された無線信号の移動局への受信時間差の情報を収集できる移動体通信システムにおける無線通信制御方法であって、
移動局において検出する、通信中の基地局の識別情報であるソース基地局識別情報（ＩＤ）、ハンドオフ先の候補となる基地局のＩＤであるターゲット基地局ＩＤ、ソース基地局とターゲット基地局から送信された信号の移動局における受信時間差を含むデータを、前記移動局から受信して、２つの基地局ＩＤに対応して該受信時間差を受信時間差情報テーブルに記憶し、
前記受信時間差情報テーブルを参照して、各２つの基地局ＩＤの組み合わせの中で、受信時間差の最大値ｔｄＭａｘと最小値ｔｄＭｉｎを求め、２つの基地局ＩＤに対応して最大値ｔｄＭａｘと最小値ｔｄＭｉｎを受信時間差最大最小値テーブルに記憶し、
前記受信時間差最大最小値テーブルを参照して、次の条件式を満たし、且つ、ネイバーサーチ窓サイズｗが最小となり、且つ、予め定められた離散値になるように、ネイバーサーチ窓サイズｗ及びネイバーサーチ窓オフセットｏｆｆｓｅｔを求める無線通信制御方法。
−ｗ／２  ＋  ｏｆｆｓｅｔ  ＜  ｔｄＭｉｎ
ｗ／２  ＋  ｏｆｆｓｅｔ  ＞  ｔｄＭａｘ
【請求項３】
前記条件式において、
ｏｆｆｓｅｔ＝（ｗ／２）・ｘ      （ｘは整数）
として、ネイバーサーチ窓サイズｗ及びネイバーサーチ窓オフセットｏｆｆｓｅｔを求めることを特徴とする請求項１又は２に記載の無線通信制御方法。
【請求項４】
ネイバーサーチ窓サイズを広げるための補正項αにより、前記条件式において、最大値に補正項を加算し、最小値から補正項を減算をすることで、ネイバーサーチ窓オフセットとネイバーサーチ窓サイズを設定することを特徴とする請求項１又は２に記載の無線通信制御方法。
【請求項５】
時間帯ごとに、ネイバーサーチ窓サイズを所定幅又は所定段階大きく又は小さく調整するための設定値を予め記憶した時間帯テーブルを参照し、時間帯の情報に基づき、ネイバーサーチ窓サイズを、求められたネイバーサーチ窓サイズより前記調整するための設定値で調整することを特徴とする請求項１又は２に記載の無線通信制御方法。
【請求項６】
ネイバーサーチ窓オフセット及びネイバーサーチ窓サイズは、チップ数又は、予め定められた離散的なチップ数に対応する値であることを特徴とする請求項１又は２に記載の無線通信制御方法。
【請求項７】
通信中の移動局と基地局との間の無線信号の往復遅延時間ＲＴＤと、前記移動局と周辺基地局との間の無線信号のＲＴＤを収集している移動体無線通信システムにおける無線基地局制御装置であって、
複数の基地局で測定された通信中の移動局と基地局について、基地局識別情報（ＩＤ）、移動局ＩＤ、基地局と移動局との間のＲＴＤを、時刻情報と共に記憶するＲＴＤデータベースと、
基地局又は基地局のセクタ毎に設けられ、周辺基地局ＩＤ及び／又は周辺基地局のセクタＩＤ、周辺基地局又は周辺基地局のセクタをサーチするためのネイバーサーチ窓オフセット及びネイバーサーチ窓サイズを含むネイバーリストを記憶するネイバーリストデータベースと、
移動局毎に設けられ、周辺基地局ＩＤ及び／又は周辺基地局のセクタＩＤ、ネイバーサーチ窓オフセット、ネイバーサーチ窓サイズを対応して記憶する移動局別ＲＴＤ情報テーブルと、
２つの基地局ＩＤと、ＲＴＤの差分を記憶するＲＴＤ差分情報テーブルと、
２つの基地局ＩＤに対応してＲＴＤの最大値ＲＴＤｄｉｆｆＭａｘと最小値ＲＴＤｄｉｆｆＭｉｎを記憶するＲＴＤ差分最大最小値テーブルと、
２つの基地局ＩＤの組み合わせに対して、ネイバーサーチ窓オフセットとネイバーサーチ窓サイズを記憶するネイバーサーチ窓テーブルと、
前記ＲＴＤデータベース、前記ネイバーリストデータベース、前記移動局別ＲＴＤ情報テーブル、前記ＲＴＤ差分情報テーブル、前記ＲＴＤ差分最大最小値テーブル、前記ネイバーサーチ窓テーブルとデータを読み出し又は書き込みして、ネイバーサーチ窓オフセット及びネイバーサーチ窓サイズを求め、ネイバーサーチ窓オフセット及びネイバーサーチ窓サイズを前記ネイバーリストデータベースに設定するネイバーサーチ窓更新処理部と、
を備え、
ネイバーサーチ窓更新処理部は、
前記ＲＴＤデータベースに対して移動局ＩＤを鍵として抽出し、移動局ＩＤ毎に、周辺基地局ＩＤ及び／又は周辺基地局のセクタＩＤ、ネイバーサーチ窓オフセット、ネイバーサーチ窓サイズを前記移動局別ＲＴＤ情報テーブルに記憶し、
前記移動局別ＲＴＤ情報テーブルに格納された複数データの中から、同じ移動局ＩＤで同時刻に２つの基地局からＲＴＤを取得しているデータを検索して、検索されたデータにおいて、２つの基地局に対するＲＴＤの差分を取得して、２つの基地局ＩＤに対応して該ＲＴＤの差分を前記ＲＴＤ差分情報テーブルに記憶し、
前記ＲＴＤ差分情報テーブルを参照して、各２つの基地局ＩＤの組み合わせの中で、ＲＴＤの差分の最大値ＲＴＤｄｉｆｆＭａｘと最小値ＲＴＤｄｉｆｆＭｉｎを求め、２つの基地局ＩＤに対応して最大値ＲＴＤｄｉｆｆＭａｘと最小値ＲＴＤｄｉｆｆＭｉｎを前記ＲＴＤ差分最大最小値テーブルに記憶し、
前記ＲＴＤ差分最大最小値テーブルを参照し、次の条件式を満たし、且つ、ネイバーサーチ窓サイズｗが最小となり、且つ、予め定められた離散的な値のいずれかになるように、ネイバーサーチ窓サイズｗ及びネイバーサーチ窓オフセットｏｆｆｓｅｔを求め、
−ｗ／２  ＋  ｏｆｆｓｅｔ  ＜  ＲＴＤｄｉｆｆＭｉｎ／２
ｗ／２  ＋  ｏｆｆｓｅｔ  ＞  ＲＴＤｄｉｆｆＭａｘ／２
２つの基地局ＩＤの組み合わせに対して、求めたネイバーサーチ窓オフセットとネイバーサーチ窓サイズを前記ネイバーサーチ窓テーブルに記憶し、
前記ネイバーサーチ窓テーブルの情報を基に、２つの基地局ＩＤの組み合わせのうち、一方の基地局ＩＤに該当する基地局又は該基地局のセクタについて設定された前記ネイバーリストデータベースにおけるネイバーリストに対して、他方の基地局ＩＤに該当する基地局又は該基地局のセクタに対するデータにおけるサーチ窓サイズとサーチ窓オフセットを更新する
前記無線基地局制御装置。
【請求項８】
複数基地局から同時に送信された無線信号の移動局への受信時間差の情報を収集できる移動体通信システムにおける無線基地局制御装置であって、
基地局又は基地局の各セクタ毎に設けられ、周辺基地局識別情報（ＩＤ）及び／又は周辺基地局のセクタＩＤ、周辺基地局又は周辺基地局のセクタをサーチするためのネイバーサーチ窓オフセット及びネイバーサーチ窓サイズを含むネイバーリストを記憶するネイバーリストデータベースと、
移動局毎に設けられ、２つの基地局ＩＤと、移動局における受信時間差を記憶する受信時間差情報テーブルと、
２つの基地局ＩＤに対応して受信時間差の最大値ｔｄＭａｘと最小値ｔｄＭｉｎを記憶する受信時間差最大最小値テーブルと、
２つの基地局ＩＤの組み合わせに対して、窓オフセットとネイバーサーチ窓サイズを記憶するネイバーサーチ窓テーブルと、
前記ネイバーリストデータベース、前記受信時間差情報テーブル、前記受信時間差最大最小値テーブル、前記ネイバーサーチ窓テーブルとデータを読み出し又は書き込みして、ネイバーサーチ窓オフセット及びネイバーサーチ窓サイズを求め、ネイバーサーチ窓オフセット及びネイバーサーチ窓サイズを前記ネイバーリストデータベースに設定するネイバーサーチ窓更新処理部と、
を備え、
ネイバーサーチ窓更新処理部は、
移動局において検出する、通信中の基地局の識別情報であるソース基地局識別情報（ＩＤ）、ハンドオフ先の候補となる基地局のＩＤであるターゲット基地局ＩＤ、ソース基地局とターゲット基地局から送信された信号の移動局における受信時間差を含むデータを、前記移動局から受信して、移動局ＩＤ毎に、２つの基地局ＩＤに対応して該受信時間差を受信時間差情報テーブル記憶し、
前記受信時間差情報テーブルを参照して、各２つの基地局ＩＤの組み合わせの中で、受信時間差の最大値ｔｄＭａｘと最小値ｔｄＭｉｎを求め、２つの基地局ＩＤに対応して最大値ｔｄＭａｘと最小値ｔｄＭｉｎを受信時間差最大最小値テーブルに記憶し、
前記受信時間差最大最小値テーブルを参照して、次の条件式を満たし、且つ、ネイバーサーチ窓サイズｗが最小となり、且つ、予め定められた離散的な値のいずれかになるように、ネイバーサーチ窓サイズｗ及びネイバーサーチ窓オフセットｏｆｆｓｅｔを求め、
−ｗ／２  ＋  ｏｆｆｓｅｔ  ＜  ｔｄＭｉｎ／２
ｗ／２  ＋  ｏｆｆｓｅｔ  ＞  ｔｄＭａｘ／２
２つの基地局ＩＤの組み合わせに対して、求めたネイバーサーチ窓オフセットとネイバーサーチ窓サイズを前記ネイバーサーチ窓テーブルに記憶し、
前記ネイバーサーチ窓テーブルの情報を基に、２つの基地局ＩＤの組み合わせのうち、一方の基地局ＩＤに該当する基地局又は該基地局のセクタについて設定された前記ネイバーリストデータベースにおけるネイバーリストに対して、他方の基地局ＩＤに該当する基地局又は該基地局のセクタに対するデータにおけるサーチ窓サイズとサーチ窓オフセットを更新する
前記無線基地局制御装置。
【請求項９】
さらに、ネイバーサーチ窓サイズｗに対する実際に取り得る離散的な値を記憶した第１対応テーブルと、
ネイバーサーチ窓オフセットｏｆｆｓｅｔに対する実際に取り得る離散的な値を記憶した第２対応テーブルと
を備え、
ネイバーサーチ窓更新処理部は、前記第１及び第２対応テーブルを参照し、求められたネイバーサーチ窓サイズｗとネイバーサーチ窓オフセットｏｆｆｓｅｔに基づき、対応する予め定められた実際に取り得る離散値をネイバーサーチ窓サイズとネイバーサーチ窓オフセットにそれぞれ設定することを特徴とする請求項７又は８に記載の無線基地局制御装置。
【請求項１０】
前記ネイバーサーチ窓更新処理部は、
前記条件式において、
ｏｆｆｓｅｔ＝（ｗ／２）・ｘ      （ｘは整数）
として、ネイバーサーチ窓サイズｗ及びネイバーサーチ窓オフセットｏｆｆｓｅｔを求めることを特徴とする請求項７又は８に記載の無線基地局制御装置。
【発明の詳細な説明】
【技術分野】
【０００１】
本発明は、無線通信制御方法及び無線基地局制御装置に係り、特に、移動局と無線基地局の間の通信について局間で相互の無線信号の送受信タイミングが同期している必要があるセルラー無線通信システムにおいて、移動局が現在通信している無線基地局以外の局へのハンドオフの成功率を向上するためのセルラー無線通信システムのハンドオフ制御方式に関する。
【背景技術】
【０００２】
セルラー無線通信システムにおいては、移動局がその移動による周囲の電波環境の変化に応じて通信相手となる無線基地局を切替えることで、移動局が移動しても移動局は通信を継続することができる。この移動局による無線基地局切替動作はハンドオフとして知られている。
【０００３】
移動局と無線基地局の間の通信について局間で相互の無線信号の送受信タイミングが同期している必要があるセルラー無線通信システムにおいては、移動局は、現在通信している無線基地局（Ｓｏｕｒｃｅ局）との間で通信について局間で相互の無線信号の送受信タイミングを同期させているが、移動によりハンドオフが発生する場合に備えて予めハンドオフ先の候補となる無線基地局（Ｔａｒｇｅｔ局）からの無線信号の受信タイミングを検出して、移動局とＴａｒｇｅｔ局の間で相互の無線信号の送受信タイミングを同期させておくことにより、通信が瞬断しないハンドオフ（ソフトハンドオフ）が可能である。移動局が無線基地局からの無線信号の受信タイミングを検出する方法はセルサーチとして知られている。
【０００４】
移動局は電源立上げ時などは、無線基地局からの無線信号の受信タイミングに関する情報がないため、セルサーチは全タイミングについて順次サーチしなければならず、長いサーチ時間を要する（初期セルサーチ）。しかし、一つの無線基地局のセルサーチに成功し、その無線基地局（Ｓｏｕｒｃｅ局）との間で通信を開始すると、移動局はＳｏｕｒｃｅ局よりＳｏｕｒｃｅ局の受信タイミングを基準とした周辺基地局の受信タイミングに関する情報を入手することができるため、その情報に従ってセルサーチすることで周辺基地局のセルサーチ（ネイバーサーチ）に関してはサーチ時間を短縮することが可能になる。移動局とＳｏｕｒｃｅ局の間の無線信号の伝搬路と移動局と周辺基地局の間の無線信号の伝搬路では伝搬遅延時間差が存在するため、移動局におけるＳｏｕｒｃｅ局からの無線信号の受信タイミングと周辺基地局からの無線信号の受信タイミングとではタイミング差が生ずるが、ネイバーサーチではセルサーチタイミングに幅を持たせることで対応している。
【０００５】
ネイバーサーチにおいては、例えば、基地局間の無線信号送信タイミングが同期された同期型ＣＤＭＡ通信システムの場合、Ｓｏｕｒｃｅ局の受信タイミングを基準とした周辺基地局各々のセルサーチタイミングの中心点（ネイバーサーチ窓オフセット）とセルサーチタイミングの幅（ネイバーサーチ窓サイズ）の情報を、Ｓｏｕｒｃｅ局から移動局に提供する。これにより移動局はＳｏｕｒｃｅ局の周辺基地局をセルサーチする際、限定されたタイミング幅内のみサーチすればよいので、初期セルサーチよりもサーチ時間を短縮することができ、周辺基地局をより早く検出することが可能となっている。
【非特許文献１】３ＧＰＰ２：Ｃ．Ｓ００２４
【発明の開示】
【発明が解決しようとする課題】
【０００６】
しかしながら、従来のネイバーサーチでは、ネイバーサーチ窓オフセットとネイバーサーチ窓サイズは周辺基地局各々について基地局立上げ時や基地局設定変更時に固定的に設定するのみであった。また何ら有効な情報に基づいて設定されないため、これらの設定を不適切に行った場合の不具合がある場合（周辺基地局の受信タイミングを検出不可能になる場合）を鑑み、ネイバーサーチ窓サイズには十分大きな値が設定される。しかし、ネイバーサーチ窓サイズに大きな値が設定されることは、サーチ時間が大きくなり、周辺基地局の検出が遅れることに繋がる。
本発明は、以上の点に鑑み、ネイバーサーチ窓サイズを可能な限り小さくすることでサーチ時間を短縮し、周辺基地局の検出を早めることを目的とする。
【課題を解決するための手段】
【０００７】
本発明によると、移動局と、当該移動局と通信中の基地局の間の無線信号の伝播遅延時間と移動局と周辺基地局の間の無線信号の伝搬遅延時間の情報を収集しているセルラー無線通信システムにおいて、移動局と当該移動局と通信中の基地局の間の無線信号の伝播遅延時間と、移動局と周辺基地局の間の無線信号の伝搬遅延時間との差の情報に基づいて、移動局が周辺基地局を検出可能な範囲でネイバーサーチ窓サイズを最も小さく設定することにより、移動局が周辺基地局へハンドオフに失敗する可能性を減少させることができることを特徴とする無線通信システム制御方法が提供される。
【０００８】
また、本発明によると、複数基地局から同時に送信された無線信号の移動局における到達時間差の情報を収集できる移動体通信システムにおいて、複数基地局から同時に送信された無線信号の移動局における到達時間差の情報に基づいて、移動局が周辺基地局を検出可能な範囲でネイバーサーチ窓サイズを最も小さく設定することにより、移動局が周辺基地局へハンドオフに失敗する可能性を減少させることができることを特徴とする無線通信システム制御方法が提供される。
【０００９】
また、上述の無線通信システム制御方法において、移動局と、当該移動局と通信中の基地局の間の無線信号の伝播遅延時間と移動局と周辺基地局の間の無線信号の伝搬遅延時間の情報、または複数基地局から同時に送信された無線信号の移動局における到達時間差の情報、のみから決定されるネイバーサーチ窓サイズより大きくネイバーサーチ窓サイズを設定することにより、ネイバーサーチ窓サイズの拡大を可能である。
【００１０】
また、上述の無線通信システム制御方法において、移動局と当該移動局と通信中の基地局の間の無線信号の伝播遅延時間と移動局と周辺基地局の間の無線信号の伝搬遅延時間との差の情報、または複数基地局から同時に送信された無線信号の移動局における到達時間差の情報、のネイバーサーチ窓サイズを設定するために基づく情報の対象期間について、時間帯によって可能な最小のネイバーサーチ窓サイズが異なる可能性がある場合に、時間帯ごとに当該時間帯の情報に基づくネイバーサーチ窓サイズを設定することで当該時間帯に最適なネイバーサーチ窓サイズを設定できる。
【００１１】
本発明の第１の解決手段によると、
通信中の移動局と基地局との間の無線信号の往復遅延時間ＲＴＤと、前記移動局と周辺基地局との間の無線信号のＲＴＤを収集している移動体通信システムにおける無線通信制御方法であって、
複数の基地局で測定された、通信中の移動局と基地局について、基地局識別情報（ＩＤ）、移動局ＩＤ、基地局と移動局との間のＲＴＤを、時刻情報と共に、ＲＴＤデータベースに格納し、
前記ＲＴＤデータベースに格納された複数データの中から、同じ移動局ＩＤで同時刻に２つの基地局からＲＴＤを取得しているデータを検索して、検索されたデータにおいて、２つの基地局に対するＲＴＤの差分を取得して、２つの基地局ＩＤに対応して該ＲＴＤの差分をＲＴＤ差分情報テーブルに記憶し、
前記ＲＴＤ差分情報テーブルを参照して、各２つの基地局ＩＤの組み合わせの中で、ＲＴＤの差分の最大値ＲＴＤｄｉｆｆＭａｘと最小値ＲＴＤｄｉｆｆＭｉｎを求め、２つの基地局ＩＤに対応して最大値ＲＴＤｄｉｆｆＭａｘと最小値ＲＴＤｄｉｆｆＭｉｎをＲＴＤ差分最大最小値テーブルに記憶し、
前記ＲＴＤ差分最大最小値テーブルを参照して、次の条件式を満たし、且つ、ネイバーサーチ窓サイズｗが最小となり、且つ、予め定められた離散値になるように、ネイバーサーチ窓サイズｗ及びネイバーサーチ窓オフセットｏｆｆｓｅｔを求める無線通信制御方法が提供される。
−ｗ／２  ＋  ｏｆｆｓｅｔ  ＜  ＲＴＤｄｉｆｆＭｉｎ／２
ｗ／２  ＋  ｏｆｆｓｅｔ  ＞  ＲＴＤｄｉｆｆＭａｘ／２
【００１２】
本発明の第２の解決手段によると、
複数基地局から同時に送信された無線信号の移動局への受信時間差の情報を収集できる移動体通信システムにおける無線通信制御方法であって、
移動局において検出する、通信中の基地局の識別情報であるソース基地局識別情報（ＩＤ）、ハンドオフ先の候補となる基地局のＩＤであるターゲット基地局ＩＤ、ソース基地局とターゲット基地局から送信された信号の移動局における受信時間差を含むデータを、前記移動局から受信して、２つの基地局ＩＤに対応して該受信時間差を受信時間差情報テーブルに記憶し、
前記受信時間差情報テーブルを参照して、各２つの基地局ＩＤの組み合わせの中で、受信時間差の最大値ｔｄＭａｘと最小値ｔｄＭｉｎを求め、２つの基地局ＩＤに対応して最大値ｔｄＭａｘと最小値ｔｄＭｉｎを受信時間差最大最小値テーブルに記憶し、
前記受信時間差最大最小値テーブルを参照して、次の条件式を満たし、且つ、ネイバーサーチ窓サイズｗが最小となり、且つ、予め定められた離散値になるように、ネイバーサーチ窓サイズｗ及びネイバーサーチ窓オフセットｏｆｆｓｅｔを求める無線通信制御方法が提供される。
−ｗ／２  ＋  ｏｆｆｓｅｔ  ＜  ｔｄＭｉｎ
ｗ／２  ＋  ｏｆｆｓｅｔ  ＞  ｔｄＭａｘ
【００１３】
本発明の第３の解決手段によると、
通信中の移動局と基地局との間の無線信号の往復遅延時間ＲＴＤと、前記移動局と周辺基地局との間の無線信号のＲＴＤを収集している移動体無線通信システムにおける無線基地局制御装置であって、
複数の基地局で測定された通信中の移動局と基地局について、基地局識別情報（ＩＤ）、移動局ＩＤ、基地局と移動局との間のＲＴＤを、時刻情報と共に記憶するＲＴＤデータベースと、
基地局又は基地局のセクタ毎に設けられ、周辺基地局ＩＤ及び／又は周辺基地局のセクタＩＤ、周辺基地局又は周辺基地局のセクタをサーチするためのネイバーサーチ窓オフセット及びネイバーサーチ窓サイズを含むネイバーリストを記憶するネイバーリストデータベースと、
移動局毎に設けられ、周辺基地局ＩＤ及び／又は周辺基地局のセクタＩＤ、ネイバーサーチ窓オフセット、ネイバーサーチ窓サイズを対応して記憶する移動局別ＲＴＤ情報テーブルと、
２つの基地局ＩＤと、ＲＴＤの差分を記憶するＲＴＤ差分情報テーブルと、
２つの基地局ＩＤに対応してＲＴＤの最大値ＲＴＤｄｉｆｆＭａｘと最小値ＲＴＤｄｉｆｆＭｉｎを記憶するＲＴＤ差分最大最小値テーブルと、
２つの基地局ＩＤの組み合わせに対して、ネイバーサーチ窓オフセットとネイバーサーチ窓サイズを記憶するネイバーサーチ窓テーブルと、
前記ＲＴＤデータベース、前記ネイバーリストデータベース、前記移動局別ＲＴＤ情報テーブル、前記ＲＴＤ差分情報テーブル、前記ＲＴＤ差分最大最小値テーブル、前記ネイバーサーチ窓テーブルとデータを読み出し又は書き込みして、ネイバーサーチ窓オフセット及びネイバーサーチ窓サイズを求め、ネイバーサーチ窓オフセット及びネイバーサーチ窓サイズを前記ネイバーリストデータベースに設定するネイバーサーチ窓更新処理部と、
を備え、
ネイバーサーチ窓更新処理部は、
前記ＲＴＤデータベースに対して移動局ＩＤを鍵として抽出し、移動局ＩＤ毎に、周辺基地局ＩＤ及び／又は周辺基地局のセクタＩＤ、ネイバーサーチ窓オフセット、ネイバーサーチ窓サイズを前記移動局別ＲＴＤ情報テーブルに記憶し、
前記移動局別ＲＴＤ情報テーブルに格納された複数データの中から、同じ移動局ＩＤで同時刻に２つの基地局からＲＴＤを取得しているデータを検索して、検索されたデータにおいて、２つの基地局に対するＲＴＤの差分を取得して、２つの基地局ＩＤに対応して該ＲＴＤの差分を前記ＲＴＤ差分情報テーブルに記憶し、
前記ＲＴＤ差分情報テーブルを参照して、各２つの基地局ＩＤの組み合わせの中で、ＲＴＤの差分の最大値ＲＴＤｄｉｆｆＭａｘと最小値ＲＴＤｄｉｆｆＭｉｎを求め、２つの基地局ＩＤに対応して最大値ＲＴＤｄｉｆｆＭａｘと最小値ＲＴＤｄｉｆｆＭｉｎを前記ＲＴＤ差分最大最小値テーブルに記憶し、
前記ＲＴＤ差分最大最小値テーブルを参照し、次の条件式を満たし、且つ、ネイバーサーチ窓サイズｗが最小となり、且つ、予め定められた離散的な値のいずれかになるように、ネイバーサーチ窓サイズｗ及びネイバーサーチ窓オフセットｏｆｆｓｅｔを求め、
−ｗ／２  ＋  ｏｆｆｓｅｔ  ＜  ＲＴＤｄｉｆｆＭｉｎ／２
ｗ／２  ＋  ｏｆｆｓｅｔ  ＞  ＲＴＤｄｉｆｆＭａｘ／２
２つの基地局ＩＤの組み合わせに対して、求めたネイバーサーチ窓オフセットとネイバーサーチ窓サイズを前記ネイバーサーチ窓テーブルに記憶し、
前記ネイバーサーチ窓テーブルの情報を基に、２つの基地局ＩＤの組み合わせのうち、一方の基地局ＩＤに該当する基地局又は該基地局のセクタについて設定された前記ネイバーリストデータベースにおけるネイバーリストに対して、他方の基地局ＩＤに該当する基地局又は該基地局のセクタに対するデータにおけるサーチ窓サイズとサーチ窓オフセットを更新する
前記無線基地局制御装置が提供される。
【００１４】
本発明の第４の解決手段によると、
複数基地局から同時に送信された無線信号の移動局への受信時間差の情報を収集できる移動体通信システムにおける無線基地局制御装置であって、
基地局又は基地局の各セクタ毎に設けられ、周辺基地局識別情報（ＩＤ）及び／又は周辺基地局のセクタＩＤ、周辺基地局又は周辺基地局のセクタをサーチするためのネイバーサーチ窓オフセット及びネイバーサーチ窓サイズを含むネイバーリストを記憶するネイバーリストデータベースと、
移動局毎に設けられ、２つの基地局ＩＤと、移動局における受信時間差を記憶する受信時間差情報テーブルと、
２つの基地局ＩＤに対応して受信時間差の最大値ｔｄＭａｘと最小値ｔｄＭｉｎを記憶する受信時間差最大最小値テーブルと、
２つの基地局ＩＤの組み合わせに対して、窓オフセットとネイバーサーチ窓サイズを記憶するネイバーサーチ窓テーブルと、
前記ネイバーリストデータベース、前記受信時間差情報テーブル、前記受信時間差最大最小値テーブル、前記ネイバーサーチ窓テーブルとデータを読み出し又は書き込みして、ネイバーサーチ窓オフセット及びネイバーサーチ窓サイズを求め、ネイバーサーチ窓オフセット及びネイバーサーチ窓サイズを前記ネイバーリストデータベースに設定するネイバーサーチ窓更新処理部と、
を備え、
ネイバーサーチ窓更新処理部は、
移動局において検出する、通信中の基地局の識別情報であるソース基地局識別情報（ＩＤ）、ハンドオフ先の候補となる基地局のＩＤであるターゲット基地局ＩＤ、ソース基地局とターゲット基地局から送信された信号の移動局における受信時間差を含むデータを、前記移動局から受信して、移動局ＩＤ毎に、２つの基地局ＩＤに対応して該受信時間差を受信時間差情報テーブル記憶し、
前記受信時間差情報テーブルを参照して、各２つの基地局ＩＤの組み合わせの中で、受信時間差の最大値ｔｄＭａｘと最小値ｔｄＭｉｎを求め、２つの基地局ＩＤに対応して最大値ｔｄＭａｘと最小値ｔｄＭｉｎを受信時間差最大最小値テーブルに記憶し、
前記受信時間差最大最小値テーブルを参照して、次の条件式を満たし、且つ、ネイバーサーチ窓サイズｗが最小となり、且つ、予め定められた離散的な値のいずれかになるように、ネイバーサーチ窓サイズｗ及びネイバーサーチ窓オフセットｏｆｆｓｅｔを求め、
−ｗ／２  ＋  ｏｆｆｓｅｔ  ＜  ｔｄＭｉｎ／２
ｗ／２  ＋  ｏｆｆｓｅｔ  ＞  ｔｄＭａｘ／２
２つの基地局ＩＤの組み合わせに対して、求めたネイバーサーチ窓オフセットとネイバーサーチ窓サイズを前記ネイバーサーチ窓テーブルに記憶し、
前記ネイバーサーチ窓テーブルの情報を基に、２つの基地局ＩＤの組み合わせのうち、一方の基地局ＩＤに該当する基地局又は該基地局のセクタについて設定された前記ネイバーリストデータベースにおけるネイバーリストに対して、他方の基地局ＩＤに該当する基地局又は該基地局のセクタに対するデータにおけるサーチ窓サイズとサーチ窓オフセットを更新する
前記無線基地局制御装置が提供される。
【００１５】
以上の解決手段の説明では、基地局間で無線信号送信タイミングが同期されている場合について説明しているが、同期されていない場合についても無線信号送信タイミングの差の情報が既知であれば、そのタイミング差情報をネイバーサーチ窓オフセットに足し合わせることで、非同期型でも同期型と同様に扱うことができ、当該情報を考慮することで容易に同様の解決手段を適用することができる。
【発明の効果】
【００１６】
本発明によれば、システムの利用効率やユーザの利便性を損なうことなく移動局による周辺基地局の検出を高速化することが可能である。周辺基地局の検出の高速化は、例えば、移動局が移動することにより、フェージングによる受信電波強度の急激な変動やシャドウィングによって通信中の基地局との同期を失った場合などに、周辺基地局を検出し同期するために要する時間を短縮する効用がある。そして同期するまでの時間を短縮することで、移動局と基地局ネットワークの間の通信が切断する可能性を減少させることができる。特に移動局が高速で移動する場合には、通信環境の変化が早いため、同期を失う頻度が増加し易く、周辺基地局の検出を高速化することは呼の安定性向上のために有効である。
【発明を実施するための最良の形態】
【００１７】
以下、本発明をその好ましい一実施形態について図面を用いて説明する。
１．第１の実施の形態
（１）ネイバーサーチ窓の設定概要
移動局は周辺基地局からの無線信号を検出する際に、現在のＳｏｕｒｃｅ局、すなわち、移動局が既に検出し、同期している複数の基地局の中で唯一移動局が選択している局からの下り無線信号の受信タイミングの周辺タイミングをサーチする。周辺基地局からの無線信号をサーチするタイミングの幅をネイバーサーチ窓、サーチ幅のサイズをネイバーサーチ窓サイズ、サーチ幅の中心点とＳｏｕｒｃｅ局からの下り無線信号の受信タイミングとの差をネイバーサーチ窓オフセットと呼ぶ。無線信号は周期的な変調を受けているため、移動局におけるＳｏｕｒｃｅ局からの無線信号の受信タイミングをｔｓ、変調周期をＴとすると、Ｓｏｕｒｃｅ局からの無線信号の受信時刻はｔｓ＋ｎＴ（ｎ＝…，−３，−２，−１，０，１，２，３…）と表すことができるが、以下周期に関する項を省略してｔｓとして表すものとする。
【００１８】
図１は、Ｓｏｕｒｃｅ局からの無線信号受信タイミングとネイバーサーチ窓の関係を時間軸上で示す説明図である。
まず、ネイバーサーチ窓は下式で表される。
ｔｓ−ｗ／２＋ｏｆｆｓｅｔ  〜  ｔｓ＋ｗ／２＋ｏｆｆｓｅｔ
ここでｗはネイバーサーチ窓サイズ、ｏｆｆｓｅｔはネイバーサーチ窓オフセットを示す。
【００１９】
ここで、ネイバーサーチ窓サイズｗとネイバーサーチ窓オフセットｏｆｆｓｅｔはＳｏｕｒｃｅ局から移動局に送付され、移動局上で設定される。移動局はＳｏｕｒｃｅ局からの無線信号の受信タイミングｔｓを中心として、ｔｓ＋（ｏｆｆｓｅｔ−ｗ／２）からｔｓ＋（ｏｆｆｓｅｔ＋ｗ／２）までの間のタイミングをサーチする。ネイバーサーチ窓サイズｗとネイバーサーチ窓オフセットｏｆｆｓｅｔをどのような値に決めればよいのかという点について、以下に一例を説明する。
【００２０】
ここで複数の周辺基地局のうち一つの局（ここではＴａｒｇｅｔ局と呼ぶ）からの無線信号受信タイミングをｔｔとすれば、移動局がＴａｒｇｅｔ局からの無線信号を検出する条件は、
ｔｓ−ｗ／２＋ｏｆｆｓｅｔ  ≦  ｔｔ  ≦  ｔｓ＋ｗ／２＋ｏｆｆｓｅｔ
・・・（１）
【００２１】
一方、移動局と基地局が同期している時に移動局と基地局の間の通信の往復遅延時間を取得できるセルラー無線通信システムにおいては、移動局がＳｏｕｒｃｅ局とＴａｒｇｅｔ局の両方を検出済みで同期している場合には、Ｓｏｕｒｃｅ局とＴａｒｇｅｔ局それぞれにおいて往復遅延時間（ＲＴＤ：Ｒｏｕｎｄ  Ｔｒｉｐ  Ｄｅｌａｙ）情報を取得できる。ここでＲＴＤとは、無線区間における下りおよび上りの往復の伝搬遅延時間を表し、上りパイロット信号の受信タイミング情報から各基地局において取得可能な情報である。Ｓｏｕｒｃｅ局とＴａｒｇｅｔ局それぞれから移動局までの片道の下り伝搬遅延時間の差、すなわち受信タイミングの差はＳｏｕｒｃｅ局およびＴａｒｇｅｔ局におけるＲＴＤの差分の２分の１であると考えられるので、移動局におけるＳｏｕｒｃｅ局とＴａｒｇｅｔ局の受信タイミング差は、Ｓｏｕｒｃｅ局のＲＴＤ情報（ＲＴＤｓ）とＴａｒｇｅｔ局のＲＴＤ情報（ＲＴＤｔ）を使用して式（２）のように置き換えられる。
ｔｔ−ｔｓ  ＝  （ＲＴＤｔ−ＲＴＤｓ）／２            ・・・（２）
式（１）及び式（２）より、式（３）、（４）を導くことができる。
ＲＴＤｓ−ｗ＋２ｏｆｆｓｅｔ  ≦  ＲＴＤｔ  ≦  ＲＴＤｓ＋ｗ＋２ｏｆｆｓｅｔ
・・・（３）
−ｗ＋２ｏｆｆｓｅｔ  ≦  ＲＴＤｔ−ＲＴＤｓ  ≦  ｗ＋２ｏｆｆｓｅｔ
・・・（４）
【００２２】
式（４）から、Ｓｏｕｒｃｅ局と通信中の移動局が、Ｔａｒｇｅｔ局をサーチ可能となる条件を、ＲＴＤｔ、ＲＴＤｓと、ｗ及びｏｆｆｓｅｔとから求められることが分る（（１）式の条件のかわりに、（３）式又は（４）の条件を用いることができる。）。
【００２３】
図２は、移動局とＳｏｕｒｃｅ局、Ｔａｒｇｅｔ局それぞれとの間のＲＴＤの差分を説明する図である。
ここで、図示のように、各移動局のＲＴＤ情報に基づき、ある瞬間の各移動局のＲＴＤの差分情報（ＲＴＤｔ−ＲＴＤｓ）を取得することができる。ここで式（４）を満たす移動局のみＴａｒｇｅｔ局を引き続き検出可能である。
【００２４】
ある瞬間の各移動局のＲＴＤの差分情報（ＲＴＤｔ−ＲＴＤｓ）の最大値をＲＴＤｄｉｆｆＭａｘ、最小値をＲＴＤｄｉｆｆＭｉｎとすると、ｗとｏｆｆｓｅｔを次の式（５）（６）を満たすように調節することで、Ｔａｒｇｅｔ局にハンドオフする可能性のある全ての移動局がＴａｒｇｅｔ局を検出可能な範囲で最小のネイバーサーチ窓サイズを設定することができる。
ｗ  ＋  ２ｏｆｆｓｅｔ  ＝  ＲＴＤｄｉｆｆＭａｘ              ・・・（５）
−ｗ  ＋  ２ｏｆｆｓｅｔ  ＝  ＲＴＤｄｉｆｆＭｉｎ              ・・・（６）
【００２５】
これにより、移動局におけるＴａｒｇｅｔ局のサーチ窓サイズを必要最小限にできるため、サーチが高速になり、移動局がフェージングによる受信電波強度の急激な変動やシャドウィングによりＳｏｕｒｃｅ局との同期を失った場合などに、Ｔａｒｇｅｔ局を検出し同期するための時間を短縮することができ、呼の安定性を向上させることができる。
【００２６】
ただし、式（５）（６）となるようにｗとｏｆｆｓｅｔを調節した場合、ＲＴＤｄｉｆｆＭａｘ以上の（ＲＴＤｔ−ＲＴＤｓ）を持つ移動局やＲＴＤｄｉｆｆＭｉｎ以下の（ＲＴＤｔ−ＲＴＤｓ）を持つ移動局のＴａｒｇｅｔ局検出契機がなく、またＲＴＤｄｉｆｆＭａｘ、ＲＴＤｄｉｆｆＭｉｎを持つ移動局が電源断やシャドウィング、他局へのハンドオフなど何らかの要因でＳｏｕｒｃｅ局またはＴａｒｇｅｔ局と同期を失うケースを考えるとネイバーサーチ窓サイズは、縮小し続ける可能性がある。ここで式（５）（６）にネイバーサーチ窓サイズの補正項α（αは正の数）を追加し、ｗに余裕を持たせることで、ネイバーサーチ窓より少し外側の（ＲＴＤｔ−ＲＴＤｓ）を持つと考えられる移動局がＴａｒｇｅｔ局を検出できるようになるため、ｗが縮小し続ける可能性を回避することができる。
ｗ＋２ｏｆｆｓｅｔ  ＝  ＲＴＤｄｉｆｆＭａｘ＋α          ・・・（７）
−ｗ＋２ｏｆｆｓｅｔ  ＝  ＲＴＤｄｉｆｆＭｉｎ−α          ・・・（８）
【００２７】
この補正項αは、その値が過度に大きい場合、ネイバーサーチ窓サイズが大きくなることによりサーチ高速化の効果を妨げ、その値が過度に小さい場合はｗが縮小し続ける可能性を回避できなくなるような項であるため、適切に設定される必要がある。補正項αは例えば、Ｔａｒｇｅｔ局を検出する可能性のある移動局のＲＴＤの差分情報（ＲＴＤｔ−ＲＴＤｓ）の分布の幅（ＲＴＤｄｉｆｆＭａｘ−ＲＴＤｄｉｆｆＭｉｎ）は、実際にＴａｒｇｅｔ局を検出している移動局の差分情報（ＲＴＤｔ−ＲＴＤｓ）の分布の幅（ＲＴＤｄｉｆｆＭａｘ−ＲＴＤｄｉｆｆＭｉｎ）に比例すると考えると、α＝ｗ／１０等と設定することができる。この場合、ネイバーサーチ窓サイズｗは下式のように書くことができる。なお、αは、これに限らず適宜の値を予め設定することができる。
ｗ＝（ＲＴＤｄｉｆｆＭａｘ−ＲＴＤｄｉｆｆＭｉｎ）／２  ＊  １０／９
・・・（９）
【００２８】
（２）移動体通信システム
以下、一例として、基地局間が時刻同期された同期型ＣＤＭＡ移動体通信システムについて説明するが、これに限らず、基地局間が時刻同期されていない非同期型ＣＤＭＡ移動体通信システム、及び移動局と無線基地局の間の通信について局間で相互の無線信号の送受信タイミングが同期している必要があるセルラー無線通信システムに適用することができる。
【００２９】
図３は、第１の実施の形態の移動体通信網の構成を示すブロック図である。
本実施形態の移動体通信網は、基地局制御装置１０と複数の基地局２０と複数の移動局３０を備える。
基地局２０は無線通信エリアであるセクタを一つまたは複数備え、無線信号を常時自セクタに送信している。基地局２０が送信した無線信号を移動局３０で検出、同期し、移動局３０から基地局２０に無線信号による応答があった場合には、基地局２０と移動局３０の間で通信が可能な状態となり、基地局２０においてＲＴＤ情報を常時取得する。
【００３０】
基地局制御装置１０の基地局制御部１００は、ネイバーサーチ窓更新処理部１０１、ＲＴＤデータベース（ＤＢ）１０２、ネイバーリストデータベース（ＤＢ）１０３、移動局別ＲＴＤ情報テーブル１０４、ＲＴＤ差分情報テーブル１０５、ＲＴＤ差分最大最小値テーブル１０６、ネイバーサーチ窓テーブル１０７を有する。
【００３１】
次に各データベース（ＤＢ）の構成例について説明する。
図４は、ＲＴＤ−ＤＢ１０２の説明図である。
基地局制御装置１０は、複数の基地局２０よりＲＴＤ情報を収集しており、ＲＴＤ−ＤＢ１０２には複数の基地局２０で測定された基地局と移動局間のＲＴＤが、基地局識別情報（ＩＤ）、移動局識別情報（ＩＤ）、時刻情報と共に格納される。ＲＴＤは、ＣＤＭＡ移動体通信システムにおいてはチップ数が最小の時間単位となるため、チップ数で表現する。ネイバーサーチ窓サイズ、ネイバーサーチ窓オフセットもチップ数で表現するものとする。なお、それらの単位は、チップ数に限らず、時間や他の適宜の単位を用いてもよい。ＲＴＤ−ＤＢ１０２は一定期間分の情報を保持する。一定期間以上経ったＲＴＤ情報は順次破棄される。
【００３２】
図５は、ネイバーリストＤＢ１０３の説明図である。
ネイバーリストは、セクタ単位で管理される。ネイバーリストは各セクタから当該セクタをＳｏｕｒｃｅセクタとして当該セクタに接続中の移動局に対して、ブロードキャスト配布される。ネイバーリストには移動局がＳｏｕｒｃｅセクタからハンドオフする可能性のある周辺セクタ識別情報を、周辺局識別情報、サーチするための「パイロット信号オフセット」「周波数チャネル」「ネイバーサーチ窓オフセット」「ネイバーサーチ窓サイズ」の情報が含まれる。
【００３３】
次に、図６は、ネイバーリストのサーチ窓サイズ値とチップ数の関係についての説明図である。図７は、ネイバーリストのサーチ窓オフセット値とチップ数の関係についての説明図である。
ＣＤＭＡ移動体通信システムでは、ネイバーリストとしての送信データ量を圧縮するため、図６と図７のような対応関係を規定している。サーチ窓オフセットはサーチ窓サイズの情報を使用して決定される。ネイバーリストＤＢ１０３では複数の基地局２０のネイバーリストを全て管理しており、ネイバーリストＤＢ１０３が管理する各セクタのネイバーリストが当該セクタを経由して移動局にブロードキャスト配布される。移動局はネイバーリストの情報に従って、周辺セクタをサーチするためのネイバーサーチ窓オフセットとネイバーサーチ窓サイズを設定する（この例では、チップ数に変換される）。なお、図６及び図７のテーブルは、ネイバーサーチ窓更新処理部１０１の内部又は外部に適宜記憶することができる。
【００３４】
図１０は、移動局別ＲＴＤ情報テーブル１０４の説明図である。
移動局別ＲＴＤ情報テーブル１０４は、移動局毎に、ＲＴＤ−ＤＢ１０２（日時、基地局識別情報、移動局識別情報、ＲＴＤ）を整理して記憶したテーブルである。
【００３５】
図１１は、ＲＴＤ差分情報テーブル１０５である。
ＲＴＤ差分情報テーブル１０５は、２つの基地局識別情報と、２局間のＲＴＤ差分を記憶したテーブルである。
【００３６】
図１２は、ＲＴＤ差分最大最小値テーブル１０６の説明図である。
ＲＴＤ差分最大最小値テーブル１０６は、２つの基地局識別情報と、２局間のＲＴＤ差分の最小値及び最大値を記憶したテーブルである。
【００３７】
図１３は、ネイバーサーチ窓テーブル１０７の説明図である。
ネイバーサーチ窓テーブル１０７は、２つの基地局識別情報と、ネイバーサーチ窓オフセット値、ネイバーサーチ窓サイズ値を記憶したテーブルである。
【００３８】
（３）ネイバーサーチ窓更新処理
図８は、第１の実施の形態のネイバーサーチ窓更新処理のフローチャートである。すなわち、ネイバーサーチ窓更新処理部１０１が、ＲＴＤ−ＤＢ１０２の情報を元に、ネイバーリストＤＢ１０３を更新する処理（ネイバーサーチ窓更新処理）のフロー図である。
【００３９】
ネイバーサーチ窓更新処理部１０１は、ステップ２０１では、ＲＴＤ−ＤＢ１０２を参照して、過去に蓄積されている予め定められた所定期間の情報を読み取り、ＲＴＤ−ＤＢ１０２に対して移動局を鍵として分類処理を実施し、移動局毎に移動局別ＲＴＤ情報テーブル１０４を作成する。
【００４０】
次にステップ２０２では、ネイバーサーチ窓更新処理部１０１は、各移動局について、移動局別ＲＴＤ情報テーブル１０４を参照し、日時及び基地局を基に同じ移動局で同時刻に２局からＲＴＤを取得しているケースを検索して、検索したケースにおいて、２局のＲＴＤ差分を取得し、２局の局名とともにＲＴＤ差分情報テーブル１０５に格納する。
【００４１】
次にステップ２０３では、ネイバーサーチ窓更新処理部１０１は、ＲＴＤ差分情報テーブル１０５を参照し、２つの基地局の識別情報を基に、各基地局Ａと基地局Ｂの組み合わせの中で、ＲＴＤ差分が最大の値と最小の値を検索処理によって抽出し、ＲＴＤ差分最大最小値テーブル１０６に格納する。
【００４２】
次にステップ２０４では、ネイバーサーチ窓更新処理部１０１は、ＲＴＤ差分最大最小値テーブル１０６の情報を基に、ネイバーサーチ窓オフセットとネイバーサーチ窓サイズを決定する。決定方法は、例えば、図６、図７に示したネイバーサーチ窓サイズとネイバーサーチ窓オフセットが実際に取り得る離散的な値を考慮して、式（４）を満たす範囲でネイバーサーチ窓サイズが最小となるようにネイバーサーチ窓オフセットとネイバーサーチ窓サイズを設定する。ＲＴＤ情報は往路と復路を合わせた遅延であることを考慮してＲＴＤ差分Ｍｉｎ（ＲＴＤｄｉｆｆＭｉｎ）、ＲＴＤ差分Ｍａｘ（ＲＴＤｄｉｆｆＭａｘ）ともに２分する。
【００４３】
この場合、ネイバーサーチ窓更新処理部１０１は、例えば、ＲＴＤ差分最大最小値テーブル１０６を参照して、次の条件式を満たし、且つ、ネイバーサーチ窓サイズｗが最小となり、且つ、予め定められた離散値になるように、ネイバーサーチ窓サイズｗ及びネイバーサーチ窓オフセットｏｆｆｓｅｔを求める。
−ｗ／２  ＋  ｏｆｆｓｅｔ  ＜  （ＲＴＤ差分Ｍｉｎ）／２
ｗ／２  ＋  ｏｆｆｓｅｔ  ＞  （ＲＴＤ差分Ｍａｘ）／２
【００４４】
また、補正項を考慮する場合は、ネイバーサーチ窓更新処理部１０１は、次のようにして、ｗ及びｏｆｆｓｅｔを求めることができる。
ネイバーサーチ窓オフセットをＯｆｆｓｅｔ、ネイバーサーチ窓サイズをＷ、式（７）、（８）において説明した補正項をαとすると、
Ｏｆｆｓｅｔ−Ｗ／２  ＝  （ＲＴＤ差分Ｍｉｎ）／２  −  α／２  ・・・（１２）
Ｏｆｆｓｅｔ＋Ｗ／２  ＝  （ＲＴＤ差分Ｍａｘ）／２  ＋  α／２  ・・・（１３）
本実施例において、α＝Ｗ／１０とすると、式（１２）、（１３）は以下のように書き換えられる。
Ｏｆｆｓｅｔ  −  Ｗ＊９／２０  ＝  （ＲＴＤ差分Ｍｉｎ）／２    ・・・（１４）
Ｏｆｆｓｅｔ  ＋  Ｗ＊９／２０  ＝  （ＲＴＤ差分Ｍａｘ）／２    ・・・（１５）
【００４５】
図６、図７の変換を行う際、ＷとＯｆｆｓｅｔは離散値となる。図７によると、例えば、ＯｆｆｓｅｔはＷ／２の整数倍となるため、整数ｘを使ってＯｆｆｓｅｔ＝Ｗ＊ｘ／２と置くことができる。式（１６）、（１７）を満たす範囲内でＷが最小になるようにＷとｘの値を選択する。
Ｗ＊（ｘ／２  −  ９／２０）  ＜  （ＲＴＤ差分Ｍｉｎ）／２    ・・・（１６）
Ｗ＊（ｘ／２  ＋  ９／２０）  ＞  （ＲＴＤ差分Ｍａｘ）／２    ・・・（１７）
これにより、ＲＴＤ差分最大最小値テーブル１０６のＲＴＤ差分ＭｉｎとＲＴＤ差分ＭａｘからＯｆｆｓｅｔとＷを決定することができ、ネイバーサーチ窓テーブル１０７が作成できる。
例１：  基地局２０−１と基地局２０−２との間で、
ＲＴＤ差分Ｍｉｎ＝−２３（ｃｈｉｐ）、ＲＴＤ差分Ｍａｘ＝１２６（ｃｈｉｐ）の場合
Ｗ＊（ｘ／２  −  ９／２０）  ＜  −２３／２
Ｗ＊（ｘ／２  ＋  ９／２０）  ＞  １２６／２
【００４６】
ここでＷは自然数であるため、ｘ／２＜９／２０、ｘ／２＞−９／２０を満たすためにｘ＝０
すなわちＯｆｆｓｅｔ＝０（ｃｈｉｐ）（→０）と決定できる。
−９／２０  ＊  Ｗ  ＜  −２３／２
９／２０  ＊  Ｗ  ＞  １２６／２
よって、上式と図６よりＷの最小値はＷ＝１６０（ｃｈｉｐ）（→１２）と決定できる。
例２：  基地局２０−１と基地局２０−３との間で、
ＲＴＤ差分Ｍｉｎ＝−４５（ｃｈｉｐ）、ＲＴＤ差分Ｍａｘ＝５４（ｃｈｉｐ）の場合
Ｗ＊（ｘ／２  −  ９／２０）  ＜  −４５／２
Ｗ＊（ｘ／２  ＋  ９／２０）  ＞  ５４／２
例１と同様にして、ｘ＝０すなわちＯｆｆｓｅｔ＝０（ｃｈｉｐ）（→０）を決定できる。さらにＷの最小値もＷ＝８０（ｃｈｉｐ）（→９）と決定できる。
【００４７】
次にステップ２０５では、ネイバーサーチ窓更新処理部１０１は、ネイバーサーチ窓テーブル１０７の情報を基に、該当する基地局の各セクタのネイバーリストのサーチ窓サイズ値、サーチ窓オフセット値のみを更新する。
例：  基地局２０−１と基地局２０−２との間で、
ネイバーサーチ窓サイズ値が１０、ネイバーサーチ窓オフセット値が０に更新された場合
ネイバーサーチ窓更新処理部１０１は、基地局２０−１のネイバーリスト（セクタＮｏ．１，２，３）にＴａｒｇｅｔセクタとして含まれる基地局２０−２のセクタＮｏ．１，２，３のネイバーサーチ窓サイズ値とネイバーサーチ窓オフセット値について、それぞれ１０と０に更新する。
（図５を基地局２０−１セクタＮｏ．１のネイバーリストとすると、表のＮｏ．１，２，３のネイバーサーチ窓サイズ値とネイバーサーチ窓オフセット値を１０と０に更新する）
【００４８】
２．第２の実施の形態
（１）ネイバーサーチ窓の設定概要
以上の記述では、ＲＴＤ情報を用いた説明を述べたが、ＲＴＤ情報の代わりに、受信時間差つまり移動局において測定する、Ｓｏｕｒｃｅ局とＴａｒｇｅｔ局から送信された信号の受信時間差（移動局における受信時間差）を使用することができる。その場合、この受信時間差をｔｄとすると、式（２）は下式のように書き換えられる。
ｔｔ−ｔｓ＝ｔｄ          ・・・（２０）
よって、Ｔａｒｇｅｔ局検出の条件式は下式のように書き換えられる。
−ｗ／２＋ｏｆｆｓｅｔ  ≦  ｔｄ  ≦  ｗ／２＋ｏｆｆｓｅｔ    ・・・（２１）
【００４９】
上式（２１）から、Ｓｏｕｒｃｅ局と通信中の移動局が、Ｔａｒｇｅｔ局をサーチ可能となる条件を、ｔｄと、ｗ及びｏｆｆｓｅｔとから求められることが分る。例えば、ある瞬間の各移動局のｔｄの最大値をｔｄＭａｘ、最小値をｔｄＭｉｎとすると、ｗとｏｆｆｓｅｔを次の式（２２）（２３）を満たすように調節することで、Ｔａｒｇｅｔ局にハンドオフする可能性のある全ての移動局がＴａｒｇｅｔ局を検出可能な範囲で最小のネイバーサーチ窓サイズを設定することができる。
ｗ／２  ＋  ｏｆｆｓｅｔ  ＝  ｔｄＭａｘ              ・・・（２２）
−ｗ／２  ＋  ｏｆｆｓｅｔ  ＝  ｔｄＭｉｎ              ・・・（２３）
【００５０】
これにより、移動局におけるＴａｒｇｅｔ局のサーチ窓サイズを必要最小限にできるため、サーチが高速になり、移動局がフェージングによる受信電波強度の急激な変動やシャドウィングによりＳｏｕｒｃｅ局との同期を失った場合などに、Ｔａｒｇｅｔ局を検出し同期するための時間を短縮することができ、呼の安定性を向上させることができる。
【００５１】
ただし、第１の実施の形態と同様に、ここで式（２２）（２３）にネイバーサーチ窓サイズの補正項α（αは正の数）を追加し、ｗに余裕を持たせることで、ネイバーサーチ窓より少し外側のｔｄを持つと考えられる移動局がＴａｒｇｅｔ局を検出できるようになるため、ｗが縮小し続ける可能性を回避することができる。
ｗ／２＋ｏｆｆｓｅｔ  ＝  ｔｄＭａｘ＋α    ・・・（２４）
−ｗ／２＋ｏｆｆｓｅｔ  ＝  ｔｄＭｉｎ−α    ・・・（２５）
【００５２】
この補正項αは、その値が過度に大きい場合、ネイバーサーチ窓サイズが大きくなることによりサーチ高速化の効果を妨げ、その値が過度に小さい場合はｗが縮小し続ける可能性を回避できなくなるような項であるため、適切に設定される必要がある。
【００５３】
（２）移動体通信システム
以下、一例として、基地局間が時刻同期された同期型ＣＤＭＡ移動体通信システムについて説明するが、これに限らず、基地局間が時刻同期されていない非同期型ＣＤＭＡ移動体通信システム、及び移動局と無線基地局の間の通信について局間で相互の無線信号の送受信タイミングが同期している必要があるセルラー無線通信システムに適用することができる。
【００５４】
図１４は、第１の実施の形態の移動体通信網の構成を示すブロック図である。
本実施形態の移動体通信網は、基地局制御装置１０と複数の基地局２０と複数の移動局３０を備える。
基地局２０は無線通信エリアであるセクタを一つまたは複数備え、無線信号を常時自セクタに送信している。基地局２０が送信した無線信号を移動局３０で検出、同期し、移動局３０から基地局２０に無線信号による応答があった場合には、基地局２０と移動局３０の間で通信が可能な状態となり、基地局２０において受信時間差ｔｄの情報を常時取得する。
【００５５】
基地局制御装置１０の基地局制御部１００は、ネイバーサーチ窓更新処理部１０１、ネイバーリストデータベース（ＤＢ）１０３、受信時間差情報テーブル１０８、受信時間差最大最小値テーブル１０９、ネイバーサーチ窓テーブル１０７を有する。
なお、ＲＴＤ情報は、基地局側で測定する情報であるが、移動局側でも基地局側からの信号の受信時刻を記録しておくことができる。そして、移動局は、複数の基地局からの無線信号の受信時刻を基地局側に報告するための手段及び動作仕様追加することで、受信時間差ｔｄを求めることができる。
【００５６】
次に各データベース（ＤＢ）の構成例について説明する。
第１の実施の形態と同様に、図５は、ネイバーリストＤＢ１０３の説明図である。また、図６は、ネイバーリストのサーチ窓サイズ値とチップ数の関係についての説明図であり、図７は、ネイバーリストのサーチ窓オフセット値とチップ数の関係についての説明図である。なお、図６及び図７のテーブルは、ネイバーサーチ窓更新処理１０１の内部又は外部に適宜記憶することができる。また、図１３は、ネイバーサーチ窓テーブル１０７の説明図である。
【００５７】
図１５は、受信時間差情報テーブル１０８である。
受信時間差情報テーブル１０８は、２つの基地局識別情報と、受信時間差を記憶したテーブルである。
図１６は、受信時間差最大最小値テーブル１０９の説明図である。
受信時間差最大最小値テーブル１０９は、２つの基地局識別情報と、受信時間差の最小値及び最大値を記憶したテーブルである。
【００５８】
（３）ネイバーサーチ窓更新処理
図９は、第２の実施の形態のネイバーサーチ窓更新処理のフローチャートである。すなわち、ネイバーサーチ窓更新処理部１０１が、受信時間差情報テーブル１０８の情報を元に、ネイバーリストＤＢ１０３を更新する処理（ネイバーサーチ窓更新処理）のフロー図である。
【００５９】
この方式では、基地局制御装置１０にて移動局から収集している受信時間差情報を用いて作成された受信時間差情報テーブル１０８を、ＲＴＤ−ＤＢ１０２の代わりに使用する。この受信時間差情報テーブル１０８はＲＴＤの場合のＲＴＤ差分情報テーブル１０５に相当するので、ＲＴＤの場合のステップ２０１やステップ２０２の処理は省略できる。ネイバーサーチ窓テーブル１０７、ネイバーリストデータベース（ＤＢ）１０３、図６及び図７のテーブルはＲＴＤの場合と共通である。
【００６０】
ステップ２０８では、ネイバーサーチ窓更新処理部１０１は、受信時間差情報テーブル１０８を参照し、２つの基地局の識別情報を基に、各基地局Ａと基地局Ｂの組み合わせの中で、受信時間差が最大の値と最小の値を検索処理によって抽出し、受信時間差最大最小値テーブル１０９に格納する。
【００６１】
次にステップ２０９では、ネイバーサーチ窓更新処理部１０１は、受信時間差最大最小値テーブル１０９の情報を基に、ネイバーサーチ窓オフセットとネイバーサーチ窓サイズを決定する。決定方法は、例えば、図６、図７に示したネイバーサーチ窓サイズとネイバーサーチ窓オフセットが実際に取り得る離散的な値を考慮して、式（２１）を満たす範囲でネイバーサーチ窓サイズが最小となるようにネイバーサーチ窓オフセットとネイバーサーチ窓サイズを設定する。
【００６２】
この場合、ネイバーサーチ窓更新処理部１０１は、例えば、受信時間差最大最小値テーブル１０９を参照して、次の条件式を満たし、且つ、ネイバーサーチ窓サイズｗが最小となり、且つ、予め定められた離散値になるように、ネイバーサーチ窓サイズｗ及びネイバーサーチ窓オフセットｏｆｆｓｅｔを求める。
−ｗ／２＋ｏｆｆｓｅｔ  ＜  ｔｄＭｉｎ
ｗ／２＋ｏｆｆｓｅｔ  ＞  ｔｄＭａｘ
【００６３】
また、補正項を考慮する場合は、ネイバーサーチ窓更新処理部１０１は、次のようにして、ｗ及びｏｆｆｓｅｔを求めることができる。例えば、ネイバーサーチ窓オフセットをＯｆｆｓｅｔ、ネイバーサーチ窓サイズをＷ、式（２４）、（２５）において説明した補正項をαとすると、
Ｏｆｆｓｅｔ−Ｗ／２  ＝  ｔｄＭｉｎ−α    ・・・（２６）
Ｏｆｆｓｅｔ＋Ｗ／２  ＝  ｔｄＭａｘ＋α    ・・・（２７）
本実施例において、α＝Ｗ／１０とすると、式（２６）、（２７）は以下のように書き換えられる。
Ｏｆｆｓｅｔ−Ｗ＊９／２０  ＝  ｔｄＭｉｎ    ・・・（２８）
Ｏｆｆｓｅｔ＋Ｗ＊９／２０  ＝  ｔｄＭａｘ    ・・・（２９）
【００６４】
図６、図７の変換を行う際、ＷとＯｆｆｓｅｔは離散値となる。図７によると、例えば、ＯｆｆｓｅｔはＷ／２の整数倍となるため、整数ｘを使ってＯｆｆｓｅｔ＝Ｗ＊ｘ／２と置くことができる。次の式（３０）、（３１）を満たす範囲内でＷが最小になるようにＷとｘの値を選択する。
Ｗ＊（ｘ／２−９／２０）  ＜  ｔｄＭｉｎ    ・・・（３０）
Ｗ＊（ｘ／２＋９／２０）  ＞  ｔｄＭａｘ    ・・・（３１）
これにより、受信時間差最大最小値テーブル１０６のｔｄＭｉｎとｔｄＭａｘからＯｆｆｓｅｔとＷを決定することができ、ネイバーサーチ窓テーブル１０７が作成できる。
【００６５】
次にステップ２１０では、ネイバーサーチ窓更新処理部１０１は、ネイバーサーチ窓テーブル１０７の情報を基に、該当する基地局の各セクタのネイバーリストのサーチ窓サイズ値、サーチ窓オフセット値のみを更新する。
【００６６】
以上より、第２の実施の形態では、移動局における下り信号の受信時間差を用いた場合においても、例えば、第１の実施の形態における、ＲＴＤ差分情報テーブル１０５、ＲＴＤ差分最大最小値テーブル１０６の各テーブルのＲＴＤを、受信時刻に対するＲＴＤ差分をｔｄとすることで、ＲＴＤ情報を用いた場合と同様にネイバーサーチ窓を調節することで、呼の安定性を向上させることができる。
【００６７】
３．補足
ある瞬間の各移動局のＲＴＤの差分情報（ＲＴＤｔ−ＲＴＤｓ）を見るのではなく、この情報に関する過去の蓄積情報（従来のＲＴＤ−ＤＢ１０２参照）を参照することで、ｗとｏｆｆｓｅｔをより適切な設定とすることが可能である。
【００６８】
例えば、ネイバーサーチ窓更新処理部１０１は、ＲＴＤ−ＤＢ１０２に蓄積されている過去の蓄積情報のうち、ある時間帯の情報のみを予め抽出して使用することで、例えば、ある時間帯ではｗを大きく（又は、小さく）取る必要があると予め判明している場合、ｗをその時間帯のみ大きく（又は、小さく）取ることができる。この場合、例えば、ＲＴＤ差分最大最小値テーブル１０６は、時間帯ごとに、ネイバーサーチ窓サイズを所定幅又は所定段階大きく又は小さく調整するための設定値を予め記憶した時間帯テーブルを参照し、時間帯の情報に基づき、ネイバーサーチ窓サイズを、求められたネイバーサーチ窓サイズよりその調整するための設定値で調整するようにすればよい。
【００６９】
以上に説明したネイバーサーチ窓更新処理によってネイバーリストＤＢのサーチ窓サイズ値、サーチ窓オフセット値は最新の値に更新される。ネイバーリストは各セクタから周期的にブロードキャスト配布されるが、ネイバーリストを受信した移動局から最新のサーチ窓サイズ値、サーチ窓オフセット値が使用可能になる。
ネイバーサーチ窓更新処理は、周期的に実施され、ネイバーリストＤＢ１０３のサーチ窓サイズ値、サーチ窓オフセット値は周期的に更新される。
【００７０】
ネイバーサーチ窓更新処理の実施周期を短くし、ネイバーサーチ窓更新処理において使用するＲＴＤ情報の対象期間を短縮することで、リアルタイム性の高いネイバーサーチ窓を設定することができる。
ネイバーサーチ窓更新処理において使用するＲＴＤ情報を、例えば、昼間時間帯、夜間時間帯といったように分類する場合、当該セクタの昼夜での移動局の分布の違いを反映することができる。
【産業上の利用可能性】
【００７１】
本実施の形態によれば、ＲＴＤ情報に基づき、移動局が周辺基地局を検出可能な範囲でネイバーサーチ窓サイズを最も小さく設定することにより、ネイバーサーチを高速化することができ、移動局と基地局ネットワークの間の通信が切断する可能性を減少させることができる。
なお、本発明は、ネイバーリストＤＢ１０３等が基地局のセクタ毎に設定されていないで、基地局毎に設定されている場合や、ネイバーリストがセクタについて設定されていなくても、適用することができる。
【００７２】
また、以上の解決手段の説明では、基地局間で無線信号送信タイミングが同期されている場合について説明しているが、同期されていない場合についても無線信号送信タイミングの差の情報が既知であれば、そのタイミング差情報をネイバーサーチ窓オフセットに足し合わせることで、非同期型でも同期型と同様に扱うことができる当該情報を考慮することで容易に同様の解決手段を適用することができる。
【図面の簡単な説明】
【００７３】
【図１】Ｓｏｕｒｃｅ局からの無線信号受信タイミングとネイバーサーチ窓の関係を時間軸上で示す説明図である。
【図２】移動局とＳｏｕｒｃｅ局、Ｔａｒｇｅｔ局それぞれとの間のＲＴＤの差分を説明する図である。
【図３】第１の実施の形態の移動体通信網の構成を示すブロック図である。
【図４】ＲＴＤ−ＤＢ１０２の説明図である。
【図５】ネイバーリストＤＢ１０３の説明図である。
【図６】ネイバーリストのサーチ窓サイズ値とチップ数の関係についての説明図である。
【図７】ネイバーリストのサーチ窓オフセット値とチップ数の関係についての説明図である。
【図８】第１の実施の形態のネイバーサーチ窓更新処理のフローチャートである。
【図９】第２の実施の形態のネイバーサーチ窓更新処理のフローチャートである。
【図１０】移動局別ＲＴＤ情報テーブル１０４の説明図である。
【図１１】ＲＴＤ差分情報テーブル１０５である。
【図１２】ＲＴＤ差分最大最小値テーブル１０６の説明図である。
【図１３】ネイバーサーチ窓テーブル１０７の説明図である。
【図１４】第２の実施の形態の移動体通信網の構成を示すブロック図である。
【図１５】受信時間差情報テーブル１０８である。
【図１６】受信時間差最大最小値テーブル１０９の説明図である。
【符号の説明】
【００７４】
１０  基地局制御装置
２０−１  基地局１
２０−２  基地局２
２０−３  基地局３
２０−４  基地局４
３０−１  移動局１
３０−２  移動局２
３０−３  移動局３
３０−４  移動局４
３０−５  移動局５
１００  基地局制御部
１０１  ネイバーサーチ窓更新処理部
１０２  ＲＴＤデータベース（ＤＢ）
１０３  ネイバーリストデータベース（ＤＢ）
１０４  移動局別ＲＴＤ情報テーブル
１０５  ＲＴＤ差分情報テーブル
１０６  ＲＴＤ差分最大最小値テーブル
１０７  ネイバーサーチ窓テーブル
【図１】
2009212746.tif 000003
【図２】
2009212746.tif 000004
【図３】
2009212746.tif 000005
【図４】
2009212746.tif 000006
【図５】
2009212746.tif 000007
【図６】
2009212746.tif 000008
【図７】
2009212746.tif 000009
【図８】
2009212746.tif 000010
【図９】
2009212746.tif 000011
【図１０】
2009212746.tif 000012
【図１１】
2009212746.tif 000013
【図１２】
2009212746.tif 000014
【図１３】
2009212746.tif 000015
【図１４】
2009212746.tif 000016
【図１５】
2009212746.tif 000017
【図１６】
2009212746.tif 000018